(57)【要約】【課題】庭先空間に圧迫感を与えず、様々な目的に応じた造形を自由に付与することができ、かつ、その変化も容易な庭先空間の空間構成システムを提供する。【解決手段】本発明の空間構成システムは、表面に等径の孔部６が多数形成された多孔壁であって、庭先空間１の一辺縁部に沿って自立的に設置される第一の多孔壁５と、これに相対して設置される第二の多孔壁７（７Ａ、７Ｂ、７Ｃ…）とを具備し、それらの多孔壁５、７に形成された孔部６に棒状材８（８Ａ、８Ｂ、８Ｃ…）の両端部を挿入して多孔壁５７間に架け渡す形態を基本として、様々な造形を変化自在に形成するものである。【選択図】図１
2010138610.tif 000002
【特許請求の範囲】
【請求項１】
表面に等径の孔部が多数形成され、庭先空間の一辺縁部に沿って自立的に設置される第一の多孔壁と、
上記第一の多孔壁に形成された孔部と同径の孔部が表面に多数形成され、上記第一の多孔壁と適宜距離を隔てて上記第一の多孔壁と相対するように自立的に設置される、上記第一の多孔壁よりも表面積の小さい１枚以上の第二の多孔壁と、
上記第一の多孔壁及び第二の多孔壁にそれぞれ形成された孔部に両端部を挿入されて、上記第一の多孔壁と第二の多孔壁との間に架け渡された１本以上の棒状材と、
を構成要素とする庭先空間の空間構成システム。
【請求項２】
第一の多孔壁又は第二の多孔壁の表面に形成された孔部を利用して該多孔壁に掛止される棚板、物入れ、プランター又は照明器具のいずれかを具備する、請求項１に記載の庭先空間の空間構成システム。
【請求項３】
第一の多孔壁の頂部と第二の多孔壁の頂部との間に張設される天幕を具備する、請求項１又は２に記載の庭先空間の空間構成システム。
【発明の詳細な説明】
【技術分野】
【０００１】
本発明は、住宅等の庭先空間に、様々な用途に応じた造形を付与して多様な空間機能を創出する空間構成システムに関する。
【背景技術】
【０００２】
一般の戸建住宅やテラスハウス等における庭先空間は、その一部が玄関と門扉とをつなぐ通路として利用されるほか、例えば洗濯物干し場、幼児の遊び場、自転車や遊具の置き場、園芸を楽しむためのスペース、犬の飼育スペースなど、住人の生活スタイルに応じた様々な目的で利用される。ただし、小規模の住宅等にあっては、庭先空間に十分な広さを確保するのが容易ではないので、庭先空間内に様々な物品が溢れて雑然となったり、窮屈で変化に乏しい雰囲気になったりするのが通常である。
【０００３】
住宅の戸外空間を多目的に活用するための手段としては、例えば特許文献１に、ＤＩＹ感覚で自由に組み立てることのできるベランダガーデニング空間構成材のシステムが提案されている。このシステムは、木質材からなる同厚の柱材や梁材、床部材や棚材、天板、テーブル、イス等によって構成され、これらの部材がねじとナット兼用金物との組み合わせにより、ドライバ１本で簡単に連結されるというものである。このシステムによって形成される空間は主として箱状になり、その箱状体がベランダ等に設置される。
【特許文献１】特開２００２−３４９０８３号公報
【発明の開示】
【発明が解決しようとする課題】
【０００４】
上記特許文献１に記載された空間構成材は、目的や用途に応じて様々な形態に組み立てることができるとはいえ、全体が箱状になるから、これを庭先空間に置くことによって戸外の拡がり感が損われ、庭先空間が余計に窮屈な印象になってしまうおそれがある。
【０００５】
そこで本発明は、狭小な庭先空間であっても、極力、圧迫感を与えないようにして、様々な利用目的に応じた造形を自由に付与し、かつ、その造形を簡単に変化させることのできる空間構成システムを提供することにより、庭先空間の多様性をさらに拡張しようとするものである。
【０００６】
なお、本発明における「庭先空間」とは、基本的には戸建住宅やテラスハウス等の占有敷地内にあって、住宅建物と道路境界や隣地境界との間に挟まれた、概ね数ｍ2 〜数十ｍ2 の面積を有するひとまとまりの空間をいうものとし、特にその形状は限定しない。ただし、私有地内の空間だけでなく、これに類した公共的な戸外空間も含むものとし、また、自然地盤上の空間だけでなく、建造物の人工スラブ上に設置されるルーフバルコニーなどの戸外空間も含むものとする。
【課題を解決するための手段】
【０００７】
上記した目的を達成するため、本発明の庭先空間の空間構成システムは、表面に等径の孔部が多数形成され、庭先空間の一辺縁部に沿って自立的に設置される第一の多孔壁と、上記第一の多孔壁に形成された孔部と同径の孔部が表面に多数形成され、上記第一の多孔壁と適宜距離を隔てて上記第一の多孔壁と相対するように自立的に設置される、上記第一の多孔壁よりも表面積の小さい１枚以上の第二の多孔壁と、上記第一の多孔壁及び第二の多孔壁にそれぞれ形成された孔部に両端部を挿入されて、上記第一の多孔壁と第二の多孔壁との間に架け渡された１本以上の棒状材と、を最小限の構成要素とするものである。
【０００８】
さらに本発明の庭先空間の空間構成システムは、追加的な構成要素として、第一の多孔壁又は第二の多孔壁の表面に形成された孔部を利用して該多孔壁に掛止される棚板、物入れ、又はプランターを具備する。また、第一の多孔壁の頂部と第二の多孔壁の頂部との間に張設される天幕を具備する。
【０００９】
本発明において、第一の多孔壁は、庭先空間の一辺縁部に沿って設置されることにより、庭先空間を囲むひとつの境界面を構成するとともに、庭先空間内に各種の造形を形成するための基準面となる。この境界面の高さを人の目線以上の高さとすれば、外部に対する目隠しにもなる。
【００１０】
第一の多孔壁と、これに相対して設置される第二の多孔壁との間には、特定の拡がり感を有する空間が区画される。該空間の大きさは、第二の多孔壁の配置に応じて自由に画定される。第二の多孔壁の幅や高さを適切に選択することにより、区画される空間の開放感も変化する。なお、基本的には、第二の多孔壁の表面積を第一の多孔壁の表面積も小さくすることによって、庭先空間の内側における圧迫感を極力、緩和することとする。
【００１１】
第一の多孔壁と第二の多孔壁との間には、１本ないし複数本の棒状材が架け渡される。棒状材は、各多孔壁の表面に形成された孔部を利用して、好きな位置に架け渡すことができ、また、簡単に移動させることもできる。この棒状材は、物干し竿として利用することができるほか、例えば子供用の鉄棒やぶら下がり棒としたり、複数本を並べて腰掛けにしたり、板材などを載せてテーブルにしたり、あるいは、高い位置に架け渡してブランコやハンモックを吊るしたりすることができる。
【００１２】
多孔壁自体の表面にも、孔部を利用して、棚板、物入れ、プランター、照明器具、あるいはそれらに類する様々な用具類や造形要素を好きな位置に取り付けることができる。また、多孔壁の頂部間に、日よけや雨よけのための天幕（タープ）を張設することもできる。
【発明の効果】
【００１３】
上述のように構成される本発明の庭先空間の空間構成システムによれば、狭小な庭先空間にも、様々な利用目的に応じた造形を付与することができ、かつ、その造形を簡単に変化させることができる。造形の基本的形状は、相対する多孔壁の間に棒状材を架け渡すものであるから、箱状の造形に比べて圧迫感は遥かに少なく、したがって庭先空間の拡がり感が損われない。かかる庭先空間の空間構成システムを利用することにより、庭先空間の多様性が拡がり、家族のコミュニケーションも大いに活性化される。
【発明を実施するための最良の形態】
【００１４】
以下、本発明の実施の形態について図を参照して説明する。
【実施例１】
【００１５】
図１及び図２は本発明の第１実施例を示す。例示形態に係る庭先空間１は、一辺が約２．４ｍの正方形状をなしており、その地表面には芝生が植設されている。この庭先空間１を囲む四辺のうち二辺は敷地内の住宅建物２に面し、他の一辺は道路３に、残りの一辺は敷地内の駐車スペース４に、それぞれ面している。
【００１６】
この庭先空間１の一辺、例示形態にあっては駐車スペース４側の辺縁部に沿って、第一の多孔壁５が立設されている。第一の多孔壁５は、適宜の材質からなる一様厚さの平坦な壁体であって、その庭先空間１に臨む表面には、正面視略円形の孔部６が多数形成されている。孔部６は、直径が概ね数ｃｍ程度、深さが概ね数ｃｍ以上となるように、大きさを揃えて形成され、縦横に数ｃｍないし十数ｃｍの一定間隔で多数個、配列されている。
【００１７】
第一の多孔壁５は、庭先空間１の辺長一杯にわたり、単独で自立するように立設されている。例示した第一の多孔壁５の想定高さは、概ね２ｍないし３ｍであるが、それ以上、或いはそれ以下の高さであってもよいし、部分的に高低があってもよい。
【００１８】
第一の多孔壁５と相対して、第二の多孔壁７が立設されている。第二の多孔壁７も、構造的には第一の多孔壁５と同様のもので、その表面には多数の孔部６が形成されている。孔部６の大きさや配列は、第一の多孔壁５と同じである。例示形態にあっては、第二の多孔壁７が、大きさを違えて３ヶ所に立設されている。以下、説明の便宜のため、それら第二の多孔壁７を区別する場合にはＡ、Ｂ、Ｃの符号を添える。
【００１９】
第二の多孔壁７Ａは、第一の多孔壁５が立設された辺縁部の対辺における隅部に立設されている。第二の多孔壁７Ａは、その高さが第一の多孔壁５の高さと同じで、幅は数十ｃｍ程度となっている。そして、第一の多孔壁５と、この第二の多孔壁７Ａとの間に、１本の棒状材８Ａが架け渡されている。棒状材８Ａは、例えばステンレス鋼管や樹脂含浸木材など、強度や耐候性に優れた適宜の材質からなる真っ直ぐな部材で、直径数ｃｍ程度の略円形断面を有し、その端部が多孔壁の表面に形成された孔部６内に挿入された状態で保持される。例示形態に係る棒状材８Ａは、大人の頭上よりもやや高い位置に架け渡され、洗濯物や布団を干すための物干し棒として利用される。
【００２０】
第二の多孔壁７Ｂは、第一の多孔壁５から１ｍ程度を隔てて、庭先空間１の中央部付近に立設されている。第二の多孔壁７Ｂは、第二の多孔壁７Ａよりも幅が小さく、高さがやや低く抑えられている。この第二の多孔壁７Ｂと第一の多孔壁５との間にも、１本の棒状材８Ｂが架け渡されている。この棒状材８Ｂは、例えば子供の身長程度の高さに配置して、親と一緒に洗濯物を干す作業に利用することができる。棒状材８Ｂは、その端部を多孔壁の孔部６に挿入するだけで支持されるから、子供の成長に合わせて高さを変えることも容易である。或いは、図示したように、もう少し高い位置に配置して子供用のブランコ９を設置することもできる。
【００２１】
第二の多孔壁７Ｃも、第一の多孔壁５から１ｍ程度を隔てて、第二の多孔壁７Ｂと並ぶように立設されている。第二の多孔壁７Ｃは、第二の多孔壁７Ｂよりも幅がやや大きく、高さは１ｍ程度と一層低く抑えられている。この第二の多孔壁７Ｃと第一の多孔壁５との間には、数本の棒状材８Ｃが弧状断面をなすように架け渡されて、腰掛けが形成されている。
【００２２】
また、第一の多孔壁５や第二の多孔壁７には、表面に形成された孔部６を利用して、例示のようなプランター１０をはじめ、棚板や物入れ、照明器具１１（図３参照）、その他適宜の物品を掛止させることができる。こうして壁面を立体的に利用することにより、限られた面積の庭先空間１に多彩な演出効果を付与することができ、敷地外からの見場も向上する。
【実施例２】
【００２３】
図３は本発明の第２実施例を示す。この形態に係る庭先空間１は、上記第１実施例に係る庭先空間１と同じく一辺が約２．４ｍの正方形状をなすものである。その一辺に沿って第一の多孔壁５が立設され、これと相対して第二の多孔壁７（７Ａ、７Ｂ、７Ｃ）が配置されている点も、上記第１実施例と同様である。
【００２４】
第一の多孔壁５と第二の多孔壁７Ａとの間には、それぞれの頂部間に伸展させるようにして、天幕（タープ）１２が張設されている。例示の天幕１２は上面視略三角形状をなし、日よけや雨よけとして利用される。このように、多孔壁５、７に囲まれた比較的高い位置には、天幕１２以外にも、例えばハンモックを吊ったり、電飾コードを張り渡したりすることができる。
【００２５】
また、この実施例にあっては、第二の多孔壁７Ｃと相対する位置に、第二の多孔壁７Ｄが立設されている。第二の多孔壁７Ｃと第二の多孔壁７Ｄとはほぼ同じ大きさである。両多孔壁７Ｃ、７Ｄ間には２本の棒状材８Ｄが、互いの高さを揃えて架け渡され、その上に長方形状のテーブル天板１３を載架して食卓が形成されている。このような形態により、庭先でのバーベキューパーティなども楽しむことができるし、パーティ終了後は食卓を片付けて庭先空間１を広く使うことができる。また、第二の多孔壁７Ｃの頂部に映像プロジェクタ１４等を置き、第一の多孔壁５の表面を投影スクリーン１５として利用することもできる。
【００２６】
このように、本発明によれば、居住者の生活様式や家族構成、趣味嗜好に応じて、限られた大きさの庭先空間１を様々な態様で立体的に利用することができる。造形の基本的形状は、相対する多孔壁５、７の孔部６に棒状材８を挿入して架け渡すものであるから、利用態様を変更するのもきわめて容易である。
【００２７】
多孔壁５、７の詳細な断面構造や、それらを支持する基礎（図示せず）等の構造は、本発明にあっては特に限定しない。該基礎に対して多孔壁５、７が着脱自在に設置されていると、空間構成を変化させるのが一層容易になる。また、多孔壁５、７の中間部分に、例えば窓孔のような開口部（図示せず）が形成されていてもよい。多孔壁５、７に形成される孔部６は、多孔壁５、７の両面に形成されていてもよいし、全部又は一部の孔部６が多孔壁５、７を貫通するように形成されていてもよい。孔部６が貫通形成されていれば通風や目透かしの効果が得られ、孔部６が非貫通の有底形状をなしていれば遮蔽性が高くなる。
【図面の簡単な説明】
【００２８】
【図１】本発明の第１実施例に係る庭先空間の斜視図である。
【図２】図１に示した庭先空間の俯瞰図である。
【図３】本発明の第２実施例に係る庭先空間の斜視図である。
【符号の説明】
【００２９】
１  庭先空間
５  第一の多孔壁
６  孔部
７  第二の多孔壁
８  棒状材
１０  プランター
１１  照明器具
１２  天幕
【図１】
2010138610.tif 000003
【図２】
2010138610.tif 000004
【図３】
2010138610.tif 000005